(57)【要約】本発明は、基地局との無線通信の方法を提供する。この方法は、スリープ・モードに入ることを示す情報を含むリソース要求メッセージを提供する工程と、リソース要求メッセージの提供に応答して基地局から肯定応答を受信する工程とを含んでもよい。
2008544702.tif 000002
【特許請求の範囲】
【請求項１】
基地局と無線通信する方法であって、
スリープ・モードに入ることを示す情報を含むリソース要求メッセージを提供する工程と、
前記リソース要求メッセージの提供に応答して前記基地局から肯定応答を受信する工程とを含むことを特徴とする方法。
【請求項２】
前記リソース要求メッセージを提供する工程は、固定ユーザ規格および８０２．１６−２００４規格のうちの少なくとも１つに従って前記リソース要求メッセージを提供する工程を含み、前記リソース要求メッセージを提供する工程は帯域幅要求メッセージを提供する工程を含み、そして前記リソース要求メッセージを提供する工程は、ヌルすなわちゼロ量のリソースを求める要求を示す情報を提供する工程を含むことを特徴とする請求項１に記載の方法。
【請求項３】
前記肯定応答を受信する工程は、前記基地局が前記スリープ・モードに入ることを許可されたことを示す情報を含む肯定応答を受信する工程を含むことを特徴とする請求項１に記載の方法。
【請求項４】
前記肯定応答の受信に応答して前記スリープ・モードに入る工程をさらに含み、前記スリープ・モードに入る工程は、前記肯定応答を受信してから固定時間間隔の後に前記スリープ・モードに入る工程を含むことを特徴とする請求項１に記載の方法。
【請求項５】
前記スリープ・モードに入った後にウェイクアップする工程をさらに含み、前記スリープ・モードに入った後にウェイクアップする工程は、前記スリープ・モードに入ってから固定期間の後にウェイクアップする工程を含むことを特徴とする請求項４に記載の方法。
【請求項６】
前記基地局からページング・メッセージを受信する工程をさらに含み、前記ページング・メッセージを受信する工程は、事前に選択されたアップリンク間隔使用コードを受信する工程を含み、前記スリープ・モードに入った後にウェイクアップする工程は、前記ページング・メッセージの受信に応答してウェイクアップする工程を含むことを特徴とする請求項５に記載の方法。
【請求項７】
加入者局と無線通信する方法であって、
スリープ・モードに入ることを示す情報を含むリソース要求メッセージを前記加入者局から受信する工程と、
前記リソース要求メッセージに応答して肯定応答を提供する工程とを含むことを特徴とする方法。
【請求項８】
前記リソース要求メッセージを受信する工程は、固定ユーザ規格および８０２．１６−２００４規格のうちの少なくとも１つに従って前記リソース要求メッセージを受信する工程を含み、前記リソース要求メッセージを受信する工程は帯域幅要求メッセージを受信する工程を含み、そして前記リソース要求メッセージを受信する工程は、ヌルすなわちゼロ量のリソースを求める要求を示す情報を受信する工程を含むことを特徴とする請求項７に記載の方法。
【請求項９】
前記肯定応答を提供する工程が、前記スリープ・モードを入ることの許可を示す情報を含む肯定応答を提供する工程を含み、前記方法はさらに、前記加入者装置がスリープ・モードから出たことを示す情報を含むリソース要求メッセージを受信する工程を含み、前記加入者装置が前記スリープ・モードから出たことを示す情報を含む前記リソース要求メッセージが、前記肯定応答の提供から固定時間間隔の後に受信されることを特徴とする請求項７に記載の方法。
【請求項１０】
前記加入者局をウェイクアップさせることを求める要求を示すページング・メッセージを提供する工程と、前記加入者装置が前記ページング・メッセージの提供に応答して前記スリープ・モードから出たことを示す情報を含むリソース要求メッセージを受信する工程とをさらに含むことを特徴とする請求項７に記載の方法。
【発明の詳細な説明】
【技術分野】
【０００１】
本発明は、一般には、通信システムに関し、より詳細には、無線通信システムに関する。
【背景技術】
【０００２】
無線ネットワークは、ユーザ装置、モバイル装置などと呼ばれることもある加入者局に無線接続性を提供するために使用される。例示的な加入者局には、携帯電話、携帯情報端末、スマート・フォン、テキスト・メッセージング装置、ラップトップ・コンピュータ、デスクトップ・コンピュータなどが含まれる。一般的な無線ネットワークは、特定の地理的領域すなわちセル内の加入者局に無線接続性を提供する１つまたは複数の基地局（アクセス・ポイントまたはＮｏｄｅ  Ｂとも一般に呼ばれる）を含む。たとえば、ＩＥＥＥ  ８０２．１１無線ローカル・エリア・ネットワークは、広く展開され、空港、職場、自宅および他の場所に位置する加入者局に無線サービスを提供するために使用されてきた。
【０００３】
無線ローカル・エリア・ネットワークの成功を基にして、無線メトロポリタン・エリア・ネットワーク（ＭＡＮ：ｗｉｒｅｌｅｓｓ  ｍｅｔｒｏｐｏｌｉｔａｎ  ａｒｅａ  ｎｅｔｗｏｒｋ）が、より大きな地理的領域にわたって無線接続性を提供するために開発されている。たとえば、ＩＥＥＥ  ８０２．１６規格（現在一般に８０２．１６−２００１規格と呼ばれている）は、無線メトロポリタン・エリア・ネットワーク用のエア・インターフェースおよびメディア・アクセス制御（ＭＡＣ：ｍｅｄｉｕｍ−ａｃｃｅｓｓ−ｃｏｎｔｒｏｌ）プロトコルを規定している。無線メトロポリタン・エリア・ネットワークは、無線基地局と通信する外部アンテナを介して建物への広帯域無線アクセスを提供するように設計されている。したがって、無線メトロポリタン・エリア・ネットワークは、光ファイバ・リンク、ケーブル・モデムおよび／またはデジタル加入者ループの代替物を提供することができる。ホームおよび／またはビジネス・ユーザは、無線メトロポリタン・エリア・ネットワークの無線リンクを介して通信ネットワークおよびインターネットに直接接続されてもよい。
【０００４】
無線ローカル・エリア・ネットワークおよび無線メトロポリタン・エリア・ネットワークは、無線ユーザが固定されまたは移動すると想定した規格に従って動作してもよい。たとえば、２〜１１ＧＨｚからの有免許と無免許の両方の周波数帯内で見通し外無線リンクをサポートするための２００３年に承認された８０２．１６ａ規格は、主として固定の無線ユーザのために考案されている。後に８０２．１６ａ規格は、無線リンクによるラスト・マイル接続性を提供するための有望な代案と見なされる８０２．１６ｄ規格（現在８０２．１６−２００４規格と呼ばれる）を作成するために改訂されている。その結果、大小の多くの企業が、８０２．１６−２００４製品を積極的に開発しテストしている。
【発明の開示】
【発明が解決しようとする課題】
【０００５】
固定無線ネットワーク内の加入者局は、たとえば壁コンセントまたはＯＡタップに接続された電源コードを介して電源を使用できると考えられる。したがって、固定の無線ネットワーク規格は一般に、少なくとも１つには固定無線ネットワークの加入者局の電池寿命が加入者局の動作の制限要因と見なされていないという理由で、電池寿命を延長するための特徴を備えていない。たとえば、８０２．１６−２００４規格は、少なくとも１つには８０２．１６−２００４規格が静止した加入者局のために提案されたものであり、また加入者局用の電源は重要な問題ではないと考えられているという理由で、加入者局をスリープ状態にするための機構を提供していない。８０２．１６−２００４規格は、スリープ状態の加入者局を起こすために使用してもよいページング信号も欠いている。
【０００６】
それとは対照的に、電池電力の節約は、携帯電話、携帯情報端末、スマート・フォン、テキスト・メッセージング装置などのモバイル加入者局にとって重要な問題である。したがって、固定無線ネットワーク規格（８０２．１６−２００４規格など）は、モバイル加入者局にとって十分なサポートを提供していない。具体的には、固定無線ネットワーク規格には、モバイル加入者局の電池電力を節約するために使用してもよいスリープおよび／またはウェイク・モード動作のための重要なサポートが欠けている。
【課題を解決するための手段】
【０００７】
本発明は、上記で述べられた問題のうちの１つまたは複数の問題の影響に対処することを対象とする。下記は、本発明の一部の態様の基本的な理解を提供するために、本発明の簡略化された要約を提示している。この要約は、本発明を網羅的に概観するものではない。それは、本発明の重大なまたは重要な要素を識別するものではなく、あるいは本発明の範囲を示すためのものでもない。その唯一の目的は、以下で論じられるより詳細な説明の序文として、いくつかの概念を簡略化した形で提示することである。
【０００８】
本発明の一実施形態では、基地局と無線通信する方法が提供される。この方法は、スリープ・モードに入ることを示す情報を含むリソース要求メッセージを提供する工程と、リソース要求メッセージの提供に応答して基地局から肯定応答を受信する工程とを含んでもよい。
【０００９】
本発明の別の実施形態では、加入者局と無線通信する方法が提供される。この方法は、スリープ・モードに入ることを示す情報を含むリソース要求メッセージを加入者局から受信する工程と、リソース要求メッセージの提供に応答して肯定応答を提供する工程とを含んでもよい。
【００１０】
本発明は、添付の図面と併せて考慮される以下の説明を参照することによって理解してもよい。図面では、同じ参照符号は、同様の要素を識別する。
【００１１】
本発明は、様々な修正形態および代替形態が可能であるが、その具体的な実施形態を、例示するために図面に示し、本明細書で詳細に述べる。しかし、具体的な実施形態についての本明細書中の説明は、開示された特定の形に本発明を限定するものではなく、それとは逆に、添付の特許請求の範囲によって定められた本発明の精神および範囲内に含まれるすべての修正物、等価物および代替物を網羅することを意図していることを理解されたい。
【発明を実施するための最良の形態】
【００１２】
本発明の例示的な実施形態について以下に述べる。分かり易くするために、実際の実装のすべての特徴について本明細書で述べるとは限らない。もちろん、こうした実際のいずれの実施形態の開発においても、開発者の具体的な目標を達成するために、実装形態によって異なるシステム関連およびビジネス関連の制約条件の順守など、実装特有の複数の決定が行われるべきであることが理解されよう。さらに、こうした開発努力は、複雑で時間のかかることであり得るが、しかし、本開示の利益を得る当業者にとっては日常的な仕事であることが理解されよう。
【００１３】
本発明の一部、およびそれに対応する詳細な説明は、ソフトウェア、またはコンピュータ・メモリ内のデータ・ビットに対する操作のアルゴリズムおよび記号表現に関して提示される。これらの説明および表現は、当業者がその仕事の内容を他の当業者に有効に伝えるためのものである。アルゴリズムは、その用語が本明細書で使用され、また一般に使用されるように、所望の結果をもたらす自己一貫性のある一連の工程であると考えられる。その諸工程は、物理量の物理的な操作を要する工程である。必ずしもそうであるとは限らないが、通常、これらの量は、格納され、転送され、組み合わされ、比較され、他のやり方で操作することができる光、電気または磁気信号の形を取る。主として一般的に使用されているという理由により、これらの信号をビット、値、要素、記号、文字、用語、数などと呼ぶことが便利であることが分かっている。
【００１４】
しかし、これらのおよび類似の用語はすべて、適切な物理量に関連付けられるべきであり、これらの量に適用された便利なラベルにすぎないことに留意されたい。他に特に述べられていない限り、あるいは議論から明らかなように、「処理する（ｐｒｏｃｅｓｓｉｎｇ）」、「演算処理する（ｃｏｍｐｕｔｉｎｇ）」、「計算する（ｃａｌｃｕｌａｔｉｎｇ）」、「決定する（ｄｅｔｅｒｍｉｎｉｎｇ）」または「表示する（ｄｉｓｐｌａｙｉｎｇ）」などの用語は、コンピュータ・システムのレジスタおよびメモリ内の物理量、電子量として表されるデータを操作し、コンピュータ・システム・メモリまたはレジスタ、あるいは他のこうした情報格納、伝送または表示装置内で物理量として同様に表される他のデータに変換するコンピュータ・システムまたは類似の電子コンピューティング装置のアクションおよびプロセスを指す。
【００１５】
本発明のソフトウェアで実施される態様は一般に、何らかの形のプログラム記憶媒体上で符号化され、あるいは何らかのタイプの伝送媒体を介して実施されることに留意されたい。プログラム記憶媒体は、磁気的なもの（たとえばフロッピー（登録商標）・ディスクまたはハード・ドライブ）、あるいは光学的なもの（たとえばコンパクト・ディスク読出し専用メモリ、すなわち「ＣＤ  ＲＯＭ：ｃｏｍｐａｃｔ  ｄｉｓｋ  ｒｅａｄ  ｏｎｌｙ  ｍｅｍｏｒｙ」）とすることができ、また読み出し専用であっても、ラングム・アクセスであってもよい。同様に、伝送媒体は、ツイストペア線、同軸ケーブル、光ファイバまたは当技術分野で知られている他の何らかの適切な伝送媒体とすることができる。本発明は、所与のいずれかの実装のこれらの態様によって限定されるものではない。
【００１６】
次に、本発明について添付の図面を参照して述べる。説明のためだけに、また当業者にはよく知られている詳細で本発明を不明瞭にしないために、様々な構造、システムおよび装置が、図面に概略的に示されている。しかし、添付の図面は、本発明の例示的な実施例について述べ説明するために含まれている。本明細書で使用される単語および語句は、当業者によるそれらの単語および語句の理解に一致する意味を有するものと理解され解釈されるべきである。用語または語句の特別な定義、すなわち当業者によって理解される通常の慣例的な意味と異なるどんな定義も、本明細書中で用語または語句を一貫して使用することによって示唆されるものではない。用語または語句が特別な意味、すなわち当業者によって理解されるもの以外の意味を有するように意図される限りでは、こうした特別な定義は、その用語または語句の特別な定義を直接かつ明確に提供する定義のやり方で本明細書中に明示的に述べられる。
【００１７】
図１は、無線通信システム１００を概念的に示している。示された実施形態では、１つまたは複数の基地局１０５、１１０（アクセス・ポイントまたはＮｏｄｅ−Ｂとも一般に呼ばれる）が、関連する地理的領域、すなわちセル１１５、１２０に無線接続性を提供する。図１には２つの基地局１０５、１１０が示されているが、本発明は、２つの基地局１０５、１１０に制限されないことを当業者には理解されたい。代替の実施形態では、望ましい任意の数の基地局１０５、１１０が使用されてもよい。基地局１０５、１１０は、ネットワーク１２５に通信可能に結合される。様々な代替実施形態では、ネットワーク１２５は、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、移動体通信用グローバル・システム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎ）、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）など、有線および／または無線ネットワークを含んでもよい。
【００１８】
無線通信システム１００は、移動体であり得る１つまたは複数の加入者局１３０（１つだけが示されている）を含んでもよい。例示的な加入者局１３０には、携帯電話、携帯情報端末、スマート・フォン、テキスト・メッセージング装置、ハンドヘルド・スキャナ、ラップトップ・コンピュータ、デスクトップ・コンピュータなどが含まれ得る。加入者局１３０は、エア・インターフェース１３５を介して基地局１０５と通信することができる。示された実施形態では、エア・インターフェース１３５は、固定ユーザ規格に従って確立される。本明細書では、当技術分野における一般的な用い方に従って、語句「固定ユーザ規格」は、加入者局１３０が静止している、または一般的な歩行速度より小さい速度で移動していると想定した規格を指す。したがって、固定の無線ネットワーク規格は、壁コンセントや、必要時にはいつでも、または実質上連続的に充電することができる電池など、実質上連続的な外部電源を加入者局１３０が使用できると想定している。固定ユーザ規格の一例は、８０２．１６−２００４規格である。一実施形態では、エア・インターフェース１３５は、８０２．１６−２００４規格に従って形成される。
【００１９】
モバイル加入者局１３０は一般に、外部電源を実質上連続して使用することはできない。たとえば、携帯電話は、ユーザによって移送され使用される間、電力を供給する電池を含む。しかし、携帯電話は、電池の予想寿命に対して長い期間の間、外部電源から分離されることがある。少なくとも１つには電池電力を節約するという理由で、加入者局１３０は、一実施形態では、スリープ状態に置かれてもよい。本明細書では、当技術分野における一般的な用い方に従って、語句「スリープ状態にする」は、エア・インターフェース１３５を介した接続を保持する必要がない、加入者局１３０上で実行されるプロセスを停止させることを指す。たとえば、加入者局１３０は、スリープ状態にあるとき、エア・インターフェース１３５を介した接続性を維持するために、１つまたは複数のチャネルを時々「リッスンする（ｌｉｓｔｅｎ  ｔｏ）」ための少数のプロセスを実行してもよい。しかし、８０２．１６−２００４規格など、固定無線ネットワーク規格は一般に、加入者局１３０をスリープ状態にし、または加入者局１３０をウェイクアップさせるためのサポートを提供していない。たとえば、８０２．１６−２００４規格は、加入者局１３０がスリープ状態にされ、またはウェイクアップされることを示すシグナリング・メッセージ、あるいはスリープ／ウェイクのシグナリング・メッセージを解釈する機能を提供していない。
【００２０】
したがって、加入者局１３０は、加入者局１３０がスリープ・モードに入ろうとしていることを示す情報を含むリソース要求メッセージを提供してもよい。本明細書では、用語「リソース要求メッセージ」は、無線通信システム１００によって提供されてもよい特定の量のリソースを要求するメッセージを示すものと解釈すべきである。したがって、リソース要求メッセージは、要求されているリソースを示す情報と、要求されたリソースの量を示す情報とを含んでもよい。たとえば、帯域幅要求メッセージは、音声および／またはデータなどの情報を送信しかつ／または受信するために特定の量の帯域幅を使用することを求める要求を含んでもよい。リソース要求メッセージを使用して要求されてもよい例示的なリソースには、それだけに限らないが、チャネル符号または周波数、サブバンドおよびタイムスロットが含まれる。
【００２１】
加入者局１３０によって提供されるリソース要求メッセージは、要求されたリソースのヌルすなわちゼロ量の要求を含んでもよい。リソース要求メッセージは一般に特定の量のリソースを示す情報を含むので、ヌルすなわちゼロ量の関連リソースを要求するリソース要求メッセージは、従来の無線通信システムによって無視され、またはエラーと見なされ得る。しかし、以下で詳細に論じるように、基地局１０５は、ヌルすなわちゼロ量のリソースの要求を、加入者局１３０がスリープ・モードに入ろうとしていることの表示と解釈してもよい。次いで、基地局１０５は、加入者局１３０に肯定応答を提供してもよく、次いで、この加入者局１３０は、スリープ状態に入ってもよい。一実施形態では、以下で詳細に論じるように、スリープ状態の加入者局１３０は、たとえば固定の期間の後に、または時間基地局１０５からのページング・メッセージに応答して、ウェイクアップされてもよい。
【００２２】
図２は、図１に示された無線通信システムで使用されてもよい加入者局２００および基地局２０５を概念的に示している。示された実施形態では、加入者局２００および基地局２０５は、エア・インターフェース２１０を介して通信し、このエア・インターフェース２１０は、上記で論じられたように、固定ユーザ規格に従って動作する。加入者局２００は、エア・インターフェース２１０を介してメッセージを送信しかつ／または受信するためのトランシーバ２１５を含む。基地局２０５もまた、エア・インターフェース２１０を介してメッセージを送信しかつ／または受信するためのトランシーバ２２０を含む。トランシーバ２１５、２２０は、図２では単一のエンティティとして示されているが、トランシーバ２１５、２２０は、任意の所望の数のエンティティで実装されてもよいことを当業者には理解されたい。たとえば、トランシーバ２１５、２２０は、別個の送信機および受信機として実装されてもよい。
【００２３】
加入者局２００は、トランシーバ２１５およびコントローラ２３０など、加入者局２００の一部を動作させるための電力を提供する電池２２５を含む。コントローラ２３０は、加入者局２００をスリープ状態にすることが望ましいと決定してもよい。たとえば、コントローラ２３０は、電池２２５のあるレベルに基づいて加入者局をスリープ状態にすることを決定してもよい。別の例では、コントローラ２３０は、クロック（図示せず）を使用して決定してもよい経過時間に基づいて、加入者局２００をスリープ状態にすることを決定してもよい。次いで、コントローラ２３０は、ナルすなわちゼロ量のリソースの要求など、加入者局１３０がスリープ・モードに入ろうとしていることを示す情報を含むリソース要求メッセージを形成してもよい。様々な代替実施形態では、コントローラ２３０は、ハードウェア、ファームウェア、ソフトウェアまたはその任意の組合せで実装されてもよい。リソース要求メッセージは、トランシーバ２１５を使用してエア・インターフェース２１０を介して送信してもよい。
【００２４】
基地局２０５は、トランシーバ２２０を使用して、送信されたリソース要求メッセージを受信してもよく、コントローラ２３５は、受信したリソース要求メッセージを使用して、加入者局２００がスリープ状態に入ることを意図していると決定してもよい。したがって、コントローラ２３５は、リソース要求メッセージの受信に応答して肯定応答メッセージを形成してもよく、このリソース要求メッセージは、トランシーバ２２０を使用してエア・インターフェース２１０を介して加入者局２００に提供されてもよい。コントローラ２３５は、トランシーバ２２０を使用して加入者局２００にページング・メッセージを提供することもできる。ページング・メッセージは、以下で詳細に論じられるように、スリープ状態の加入者局２００をウェイクアップさせるために使用してもよい。
【００２５】
図３Ａは、スリープ・モードに入る方法３００の例示的な一実施形態を概念的に示している。方法３００の例示的な実施形態は、８０２．１６−２００４規格による加入者局と基地局の間の通信の文脈で述べられる。しかし、本発明は、８０２．１６−２００４規格に限定されていないことを当業者には理解されたい。代替の実施形態では、８０２．１６−２００４規格の将来のバージョンまたは修正を含めて、望ましい任意の規格が使用されてもよい。示された実施形態では、スリープ・モードに入る決定は、加入者局によって開始される。この決定に達するために加入者局が適用するアルゴリズムは、任意のものであり、基地局に知られていないが加入者局には特有のものとすることができる。たとえば、加入者局は、ダウンリンクおよびアップリンク・チャネル上のトラフィックが無いことに基づいてスリープ・モードに入るべきと決定してもよい。
【００２６】
加入者局は、それがスリープ・モードを入ろうとしていることを示すリソース要求メッセージを提供してもよい（ステップ３０５）。一実施形態では、加入者局は、基地局に帯域幅要求（ＢＲ：Ｂａｎｄｗｉｄｔｈ  Ｒｅｑｕｅｓｔ）メッセージを送信するために、その現在のセッションのうちの１つに属する接続識別子（ＣＩＤ：Ｃｏｎｎｅｃｔｉｏｎ  Ｉｄｅｎｔｉｆｉｅｒ）を使用する。ステップ３０５で提供される帯域幅要求メッセージは、ゼロの追加の帯域幅を要求する。基地局は、リソース要求メッセージを受信し（ステップ３１０）、基地局は、ゼロの追加帯域幅を求める要求を、スリープ・モードに入ることの許可を求める要求と解釈する。スリープ・モードに入ることの許可を要求するために０バイト要求を伴う帯域幅要求メッセージを使用することの１つの利点は、基地局がこのスリープ／ウェイクアップ機能をサポートすることができない場合に、０バイトの追加帯域幅を求める要求が単に無視されまたは廃棄され、それによって、現在のセッションの変更が引き起こされないことである。
【００２７】
次いで、基地局は、それが要求を受信し、スリープ・モードに入ることを承認したことの肯定応答を提供してもよい（ステップ３１５）。一実施形態では、基地局の肯定応答は、加入者局がスリープ・モードに入ることを許されることの加入者局への肯定応答として働く、事前に指定されたアップリンク間隔使用コード（ＵＩＵＣ：Ｕｐｌｉｎｋ  Ｉｎｔｅｒｖａｌ  Ｕｓａｇｅ  Ｃｏｄｅ）を含む。特定のＵＩＵＣ、は、基地局および加入者局内で知られており、かつ／またはハードワイヤードされてもよい。基地局からのこの肯定応答メッセージを受信すると、加入者局は、スリープ・モードに入る（ステップ３２０）。一実施形態では、加入者局は、固定の時間間隔の後にスリープ・モードに入り（ステップ３２０）、この固定の時間間隔は、クロックによって、または複数のフレームで測定してもよい。固定の時間間隔は、ネットワーク通信事業者によって設定され、基地局と加入者局の両方に知られている。これは、スリープ開始時間を定義する固定時間間隔を基地局から加入者局に、またはその逆に送信する必要性を回避し、それによって、この情報を送信するメッセージを受け入れるように規格を変更する必要性が取り除かれる。
【００２８】
スリープ・モードの間、加入者局は、フレーム同期（これは、スリープ・モード中に維持される数個のプロセスのうちの１つである）を維持する。さらに、加入者局は、下記に述べられるように、加入者局が基地局によってページングされているかどうかチェックするために、ダウンリンク情報を周期的に復号してもよい。ダウンリンク復号操作間の期間（たとえば５フレームごと）は、ネットワーク通信事業者によって事前に定義され、加入者局内にハードワイヤードされてもよい。電池エネルギーは、加入者局が時々にしかデータを復号しないので節約され得る。基地局から見て、加入者局は、加入者局がウェイクアップされていることをまず確認せずには基地局がスリープ中の加入者局にデータを送信できないことを除いては、まさにそれがスリープ・モードにないかのように扱われてもよいことに留意されたい。スリープ中の加入者局に関連したセッション・パラメータが保持されてもよい。スリープ期間は不明確ではないことがあるが、固定の期間、または有限数のフレームの間だけ継続してもよく、その後に加入者局は、基地局によって送信されたページング・メッセージによってまだウェイクアップされていない場合はデフォルト設定により、あるいはアップリンク上で伝送することが意図されたデータが加入者局に到着したことよってウェイクアップしてもよい。この最大のスリープ継続時間は、事前に定められ、固定され、かつ／またはネットワーク通信事業者によって設定され、基地局と加入者局の両方に知られていると見なされることもできる。
【００２９】
図３Ｂは、加入者局をウェイクアップさせる方法３２５の例示的な一実施形態を概念的に示している。上記で論じされたように、方法３２５の例示的な実施形態は、８０２．１６−２００４規格による加入者局と基地局の間の通信の文脈で述べられる。示された実施形態では、加入者局は、アップリンク上で基地局に送信するデータがあるかどうか判断する（ステップ３３０）。加入者局がアップリンク上で送信するデータが得られないと決定する場合（ステップ３３０）、加入者局は、スリープ時間が経過したかどうか判断することもできる（ステップ３３５）。たとえば、加入者局は、クロック・タイマが終了したかどうか、あるいは所定の数のフレームが通過したかどうか判断してもよい（ステップ３３５）。
【００３０】
アップリンク上で送信するデータが得られる場合、および／またはスリープ時間が経過した場合、加入者局は、加入者局がスリープ・モードに入る前に実行されていたプロセスの一部またはすべてを回復させることによってウェイクアップする（ステップ３４０）。次いで、加入者局は、それがスリープ・モードに決して入らなければ有したであろうデータを送信してもよい。基地局は、加入者局がまずスリープ・モードに入ったときにすべてのセッション・パラメータを保存していたので、データを受信する準備ができており、それを行う。加入者局からのこのデータの到着によって、スリープ状態の加入者局が今ウェイクアップしたという事実を基地局に警告してもよい。あるいは、スリープ状態の加入者局は、それが現在ウェイク・モードで動作していることを示すリソース要求メッセージを提供してもよい（ステップ３４５）。次いで、基地局は、加入者局がもはやスリープ・モードではないかのように加入者局を扱うことができる。
【００３１】
一つの代替の実施形態では、加入者局は、加入者局がウェイクアップすべきであることを示すページング・メッセージを基地局が提供したと決定してもよい（ステップ３５０）。たとえば、基地局は、加入者局によって受信され復号される周期フレームのうちの１つの間にページング・メッセージを送信することによってスリープ状態の加入者局をウェイクアップさせてもよい。このタイプのページング・メッセージは、現在の８０２．１６−２００４規格によってサポートされていない。しかし、この規格は、ネットワーク通信事業者が直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇおよび／またはＯＦＤＭＡ）操作モード用の変調および／または符号化レート（バースト・プロファイル）を定義するために複数のＵＩＵＣを使用することを可能にする。したがって、ネットワーク通信事業者は、ページング・メッセージとして使用するためにこれらのＵＩＵＣのうちの１つを予約してもよい。
【００３２】
一実施形態では、基地局は、連続した複数のフレームにわたって基地局によって送信された１つまたは複数のアップリンク・マップ（ＵＬ−ＭＡＰ：ｕｐｌｉｎｋ  ｍａｐ）内でウェイクアップが予定されている加入者局に関連したＣＩＤを指定する。送信されたＵＬ−ＭＡＰは、少なくとも１つには加入者局がスリープ・モード中にしか周期フレームを受信し復号し得ないという理由により、ページング目的のために指定されたＵＩＵＣを、使用可能な最も堅牢な復調および符号化方式と共に使用してもよい。さらに、スリープ状態の加入者局はアップリンク上で情報を送信することができないので、基地局は、ダウンリンク・チャネル品質に関する情報をほとんどまたはまったく有しておらず、その符号方式をそれに応じて調整することはできない。したがって、ダウンリンク・チャネルが劣化を受ける場合、加入者局は、基地局伝送を受信しないことがあり、したがって、反復を伴う堅牢な変調／符号化によって、加入者局がページング・メッセージを受信する機会を最大化する。
【００３３】
ＵＬ−ＭＡＰ内でＵＩＵＣ情報を受信すると、加入者局は、ウェイクアップする（ステップ３４０）。加入者局が確かにスリープ・モードからを出たことを基地局に確認するために、加入者局は、帯域幅要求フィールド内に０バイトを含む帯域幅要求メッセージなど、別のリソース要求メッセージを送信してもよい（ステップ３４５）。基地局によるこのメッセージの受信は、基地局によって、加入者局が今ウェイクアップし、通常の操作を開始したことの加入者による肯定応答と解釈されてもよい。
【００３４】
上記に開示された特定の諸実施形態は例示的なものにすぎず、本発明は、本明細書中の教示の利益を得る当業者にとっては明らかな、それぞれ異なるが等価なやり方で修正され実施されてもよい。さらに、添付の特許請求の範囲中に記載されたもの以外には、本明細書に示された構成または設計の詳細への限定は意図されていない。したがって、上記で開示された特定の実施形態を変更しまたは修正してもよく、こうしたすべての変形形態は、本発明の範囲および精神の範囲内のものと見なされることは明らかである。したがって、本明細書で求められる保護については、添付の特許請求の範囲に記載されている。
【図面の簡単な説明】
【００３５】
【図１】本発明による無線通信システムの概念図である。
【図２】本発明による、図１に示された無線通信システムで使用されてもよい加入者局および基地局を示す概念図である。
【図３Ａ】本発明によるスリープ・モードに入る方法の概念図である。
【図３Ｂ】本発明による加入者局をウェイクアップさせる方法の概念図である。
【図１】
2008544702.tif 000003
【図２】
2008544702.tif 000004
【図３Ａ】
2008544702.tif 000005
【図３Ｂ】
2008544702.tif 000006
【国際調査報告】
2008544702.tif 000007
2008544702.tif 000008